(57)【要約】【課題】独立に処理可能な複数の筆記情報を電子筆記具の操作により生成する。【解決手段】画像処理部６１ａでは、画像取得部６１１が、媒体から画像を取得し、ドット配列生成部６１２が、画像からドット配列を生成する。また、データ処理部６１ｂでは、符号配列生成部６１３が、ドット配列から符号配列を生成し、識別情報取得部６１４が、符号配列から識別情報を取得し、位置情報取得部６１５が、符号配列から位置情報を取得し、操作判別部６１８が、ユーザ操作を判別し、筆跡情報生成部６１６が、判別されたユーザ操作に応じて分割された筆跡情報を生成し、属性付加部６１９が必要に応じて筆跡情報に属性を付加し、出力部６２０が、識別情報と分割された筆跡情報等とを出力する。【選択図】図６
2009252063.tif 000002
【特許請求の範囲】
【請求項１】
媒体上の位置情報が埋め込まれた当該媒体に電子筆記具を用いて筆記する際の当該電子筆記具に対するユーザ操作を検出する検出手段と、
前記電子筆記具を用いた前記媒体に対する筆記に応じて読み取られた当該媒体上の前記位置情報を取得する取得手段と、
前記検出手段により特定のユーザ操作が検出される前に前記取得手段により取得された特定の媒体上の前記位置情報を用いて第１の筆記情報を生成し、前記検出手段により当該特定のユーザ操作が検出された後に前記取得手段により取得された当該特定の媒体上の前記位置情報を用いて、当該第１の筆記情報とは独立に処理可能な第２の筆記情報を生成する生成手段と
を備えたことを特徴とする筆記情報生成装置。
【請求項２】
前記検出手段は、前記電子筆記具で前記媒体上の予め設定された位置を指示する操作が行われたことを、前記ユーザ操作として検出することを特徴とする請求項１記載の筆記情報生成装置。
【請求項３】
前記検出手段は、前記電子筆記具に設けられた操作部の操作が行われたことを、前記ユーザ操作として検出することを特徴とする請求項１記載の筆記情報生成装置。
【請求項４】
前記検出手段は、直前に筆記した位置から所定の距離以上離れた前記媒体上の位置を前記電子筆記具で指示する操作が行われたことを、前記ユーザ操作として検出することを特徴とする請求項１記載の筆記情報生成装置。
【請求項５】
前記検出手段は、前記電子筆記具で前記媒体上の位置以外の位置を指示する操作が行われたことを、前記ユーザ操作として検出することを特徴とする請求項１記載の筆記情報生成装置。
【請求項６】
前記検出手段は、直前に筆記した時間から所定の時間が経過した後に前記電子筆記具で筆記する操作が行われたことを、前記ユーザ操作として検出することを特徴とする請求項１記載の筆記情報生成装置。
【請求項７】
前記検出手段は、直前に筆記した位置から所定の距離以上離れた前記媒体上の位置に前記電子筆記具で筆記する操作が行われたことを、前記ユーザ操作として検出することを特徴とする請求項１記載の筆記情報生成装置。
【請求項８】
前記生成手段により生成された前記第１の筆記情報と前記第２の筆記情報とに、前記検出手段により検出された前記特定のユーザ操作に応じて、異なる属性を付加する付加手段を更に備えたことを特徴とする請求項１記載の筆記情報生成装置。
【請求項９】
前記属性は、前記第１の筆記情報と前記第２の筆記情報とを所定の機器の画面に表示する際のレイヤに関する属性であることを特徴とする請求項８記載の筆記情報生成装置。
【請求項１０】
前記属性は、前記第１の筆記情報と前記第２の筆記情報とを電子的に記録するかどうかに関する属性であることを特徴とする請求項８記載の筆記情報生成装置。
【請求項１１】
コンピュータに、
媒体上の位置情報が埋め込まれた当該媒体に電子筆記具を用いて筆記する際の当該電子筆記具に対するユーザ操作を検出する機能と、
前記電子筆記具を用いた前記媒体に対する筆記に応じて読み取られた当該媒体上の前記位置情報を取得する機能と、
特定のユーザ操作が検出される前に取得された特定の媒体上の前記位置情報を用いて第１の筆記情報を生成し、当該特定のユーザ操作が検出された後に取得された当該特定の媒体上の前記位置情報を用いて、当該第１の筆記情報とは独立に処理可能な第２の筆記情報を生成する機能と
を実現させるためのプログラム。
【発明の詳細な説明】
【技術分野】
【０００１】
本発明は、筆記情報生成装置、プログラムに関する。
【背景技術】
【０００２】
プリントアウト表面を手動で編集することにより、電子的に記憶された文書に変更を加える技術が知られている(例えば、特許文献１参照)。この特許文献１の技術では、まず、電子的に記憶された文書を、位置コーディングパターンを備えた表面に印刷する。次に、位置コーディングパターン読取り手段を備えたデジタルペンと表面にマーキングを付けるペンポイントとでプリントアウト表面を手動で編集する。すると、このマーキングがコンピュータに転送され、コンピュータ内で解釈され、この解釈に基づいて記憶済み文書に変更が加えられる。
【０００３】
【特許文献１】特表２００３−５２８３８８号公報
【発明の開示】
【発明が解決しようとする課題】
【０００４】
本発明の目的は、独立に処理可能な複数の筆記情報を電子筆記具の操作により生成できる技術を提供することにある。
【課題を解決するための手段】
【０００５】
請求項１に記載の発明は、媒体上の位置情報が埋め込まれた当該媒体に電子筆記具を用いて筆記する際の当該電子筆記具に対するユーザ操作を検出する検出手段と、前記電子筆記具を用いた前記媒体に対する筆記に応じて読み取られた当該媒体上の前記位置情報を取得する取得手段と、前記検出手段により特定のユーザ操作が検出される前に前記取得手段により取得された特定の媒体上の前記位置情報を用いて第１の筆記情報を生成し、前記検出手段により当該特定のユーザ操作が検出された後に前記取得手段により取得された当該特定の媒体上の前記位置情報を用いて、当該第１の筆記情報とは独立に処理可能な第２の筆記情報を生成する生成手段とを備えたことを特徴とする筆記情報生成装置である。
請求項２に記載の発明は、前記検出手段は、前記電子筆記具で前記媒体上の予め設定された位置を指示する操作が行われたことを、前記ユーザ操作として検出することを特徴とする請求項１記載の筆記情報生成装置である。
請求項３に記載の発明は、前記検出手段は、前記電子筆記具に設けられた操作部の操作が行われたことを、前記ユーザ操作として検出することを特徴とする請求項１記載の筆記情報生成装置である。
請求項４に記載の発明は、前記検出手段は、直前に筆記した位置から所定の距離以上離れた前記媒体上の位置を前記電子筆記具で指示する操作が行われたことを、前記ユーザ操作として検出することを特徴とする請求項１記載の筆記情報生成装置である。
請求項５に記載の発明は、前記検出手段は、前記電子筆記具で前記媒体上の位置以外の位置を指示する操作が行われたことを、前記ユーザ操作として検出することを特徴とする請求項１記載の筆記情報生成装置である。
請求項６に記載の発明は、前記検出手段は、直前に筆記した時間から所定の時間が経過した後に前記電子筆記具で筆記する操作が行われたことを、前記ユーザ操作として検出することを特徴とする請求項１記載の筆記情報生成装置である。
請求項７に記載の発明は、前記検出手段は、直前に筆記した位置から所定の距離以上離れた前記媒体上の位置に前記電子筆記具で筆記する操作が行われたことを、前記ユーザ操作として検出することを特徴とする請求項１記載の筆記情報生成装置である。
請求項８に記載の発明は、前記生成手段により生成された前記第１の筆記情報と前記第２の筆記情報とに、前記検出手段により検出された前記特定のユーザ操作に応じて、異なる属性を付加する付加手段を更に備えたことを特徴とする請求項１記載の筆記情報生成装置である。
請求項９に記載の発明は、前記属性は、前記第１の筆記情報と前記第２の筆記情報とを所定の機器の画面に表示する際のレイヤに関する属性であることを特徴とする請求項８記載の筆記情報生成装置である。
請求項１０に記載の発明は、前記属性は、前記第１の筆記情報と前記第２の筆記情報とを電子的に記録するかどうかに関する属性であることを特徴とする請求項８記載の筆記情報生成装置である。
請求項１１に記載の発明は、コンピュータに、媒体上の位置情報が埋め込まれた当該媒体に電子筆記具を用いて筆記する際の当該電子筆記具に対するユーザ操作を検出する機能と、前記電子筆記具を用いた前記媒体に対する筆記に応じて読み取られた当該媒体上の前記位置情報を取得する機能と、特定のユーザ操作が検出される前に取得された特定の媒体上の前記位置情報を用いて第１の筆記情報を生成し、当該特定のユーザ操作が検出された後に取得された当該特定の媒体上の前記位置情報を用いて、当該第１の筆記情報とは独立に処理可能な第２の筆記情報を生成する機能とを実現させるためのプログラムである。
【発明の効果】
【０００６】
請求項１の発明は、独立に処理可能な複数の筆記情報を電子筆記具の操作により生成することができるという効果を有する。
請求項２の発明は、本構成を有していない場合に比較して、独立に処理可能な複数の筆記情報を生成する指示の確実性が増し、電子筆記具に操作部を設ける必要もないという効果を有する。
請求項３の発明は、本構成を有していない場合に比較して、独立に処理可能な複数の筆記情報を生成する指示の確実性が増し、媒体に特別な位置を予め設定しておく必要もないという効果を有する。
請求項４の発明は、電子筆記具に操作部を設けたり、媒体に特別な位置を予め設定したりすることなく、独立に処理可能な複数の筆記情報を生成することができるという効果を有する。
請求項５の発明は、電子筆記具に操作部を設けたり、媒体に特別な位置を予め設定したりすることなく、独立に処理可能な複数の筆記情報を生成することができるという効果を有する。
請求項６の発明は、電子筆記具に対する特別な操作を行うことなく、独立に処理可能な複数の筆記情報を生成することができるという効果を有する。
請求項７の発明は、電子筆記具に対する特別な操作を行うことなく、独立に処理可能な複数の筆記情報を生成することができるという効果を有する。
請求項８の発明は、独立に処理可能な複数の筆記情報に電子筆記具の操作により属性を付加することができるという効果を有する。
請求項９の発明は、複数の筆記情報を表示する際のレイヤを電子筆記具の操作により決めることができるという効果を有する。
請求項１０の発明は、複数の筆記情報を電子的に記録するかどうかを電子筆記具の操作により決めることができるという効果を有する。
請求項１１の発明は、独立に処理可能な複数の筆記情報を電子筆記具の操作により生成することができるという効果を有する。
【発明を実施するための最良の形態】
【０００７】
以下、添付図面を参照して、本発明を実施するための最良の形態(以下、「実施の形態」という)について詳細に説明する。
まず、本実施の形態におけるコンピュータシステムの全体構成について説明する。
図１は、本実施の形態のコンピュータシステムの構成例を示したものである。
図示するように、このコンピュータシステムは、端末装置１０と、文書サーバ２０と、識別情報サーバ３０と、画像形成装置４０と、端末装置５０とがネットワーク８０に接続されることにより構成されている。また、端末装置５０には、デジタルペン６０が通信装置７０を介して接続されている。
【０００８】
端末装置１０は、文書サーバ２０に対して電子文書の印刷を要求するコンピュータ装置である。ここで、端末装置１０としては、例えば、パーソナルコンピュータやワークステーション、その他のコンピュータを用いるとよい。
文書サーバ２０は、電子文書を記憶し管理するコンピュータ装置である。また、端末装置１０から電子文書の印刷要求があると、電子文書の画像と、識別情報及び位置情報を表す符号画像とを生成し、これらを合成した合成画像を媒体に印刷する印刷命令を画像形成装置４０に対して出力する。この場合、識別情報とは、媒体を一意に特定するための情報であり、位置情報とは、媒体上の座標位置を特定するための情報である。ここで、文書サーバ２０としては、例えば、パーソナルコンピュータやワークステーション、その他のコンピュータを用いるとよい。
【０００９】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータを用いるとよい。
画像形成装置４０は、媒体に画像を印刷し、印刷文書として出力する装置である。この画像形成装置４０は、単体のプリンタや印刷機であってもよいし、他にスキャナや通信の機能を備えた所謂複合機であってもよい。ここで、画像形成装置４０における画像形成方式としては、例えば、電子写真方式を用いるとよいが、その他の方式を用いてもよい。
【００１０】
端末装置５０は、印刷文書に対する筆記を電子化した情報(以下、「筆跡情報」という)を、印刷文書に記録された画像の元となる電子文書に反映させるために識別情報サーバ３０に送信するコンピュータ装置である。また、筆跡情報を反映する対象の電子文書を図示しないディスプレイに表示し、その上に筆跡情報を重ねて表示するようにしてもよい。ここで、端末装置５０としては、例えば、パーソナルコンピュータやワークステーション、その他のコンピュータを用いるとよい。尚、本実施の形態では、筆記の内容を電子化した筆記情報の一例として、筆跡情報を用いている。また、筆跡情報を主に手書き情報として説明するが、これに限らず、例えば、建築や機械等の図面データを出力する装置であるプロッタ等によって機械的に描画された情報であってもよい。
【００１１】
デジタルペン６０は、電子筆記具の一例であり、印刷文書上に文字又は図形を筆記するために用いられるペンデバイスである。また、媒体に印刷された符号画像を読み取る撮像素子を備える。そして、撮像素子で読み取った符号画像から位置情報を検出し、筆記した文字又は図形をイメージデータ化した筆跡情報をこの位置情報に基づいて生成し記憶する。
通信装置７０は、デジタルペン６０から筆跡情報を取得して端末装置５０に送信する装置である。例えば、デジタルペン６０を差し込む差込口を設け、この差込口にデジタルペン６０が差し込まれると、デジタルペン６０に記憶された筆跡情報を端末装置５０に送信するようにするとよい。ここで、端末装置５０との間の通信の方式としては、ＵＳＢ(Universal Serial Bus)、Ｂｌｕｅｔｏｏｔｈ(登録商標)、赤外線通信機能等、種々の方式が考えられる。また、図では、通信装置７０をデジタルペン６０と別体のものとして示しているが、必ずしも別体である必要はなく、一体に構成してもよい。
【００１２】
尚、本明細書では、媒体に記録する画像の元となる電子データを「電子文書」と表記するが、これは、テキストを含む「文書」を電子化したデータのみを意味するものではない。例えば、絵、写真、図形等の画像データ(ラスタデータかベクターデータかによらない)、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシートや金属板等であっても構わない。
更に、本明細書では、電子文書や媒体について、それぞれを一意に識別するための識別情報を用いて処理を行うが、単に「識別情報」というときは、このうち、媒体の識別情報を意味するものとする。また、この識別情報の一例として、本実施の形態では、媒体へのプリントを行う画像形成装置４０の機械番号と画像形成装置４０におけるプリントカウントの値とを結合したものを用いる。
【００１３】
まず、このコンピュータシステムの画像形成時の動作について説明する。
図２は、このときの文書サーバ２０及び識別情報サーバ３０の動作を示したシーケンス図である。
文書サーバ２０は、まず、電子文書の印刷要求を端末装置１０から受信する（ステップ２１１）。このうち、電子文書の印刷要求には、電子文書を一意に識別するための識別情報（以下、「文書ＩＤ」という）と印刷設定とが含まれる。ここで、文書ＩＤとしては、例えば、ＵＲＬ(Uniform Resource Locator)を用いるとよいが、電子文書を一意に特定することができるものであれば他の情報を用いてもよい。また、印刷設定は、ページ、部数、用紙サイズ、Ｎアップ(電子文書のＮページを媒体の１ページに割り付ける印刷)、余白等の設定を含む。そして、文書サーバ２０は、文書ＩＤと印刷設定とを識別情報サーバ３０に送信することで、識別情報の発行を要求する(ステップ２１２)。
【００１４】
これにより、識別情報サーバ３０は、文書ＩＤと印刷設定とを受信する(ステップ３１１)。そして、識別情報を記憶したデータベースから未使用の識別情報を取り出す(ステップ３１２)。ここで、取り出す識別情報の数は、印刷設定に応じて決められる。つまり、基本的には、印刷するページ数に印刷部数を乗じて得られる数の識別情報が取り出される。但し、設定情報中に、Ｎアップの指定等がある場合は、それも考慮される。例えば、１０ページの電子文書を２アップで５部印刷する場合は、２５(＝１０÷２×５)個の識別情報が取り出される。
次に、識別情報サーバ３０は、識別情報と文書ＩＤと印刷設定とを関連付けて記憶する(ステップ３１３)。そして、ステップ３１２で発行された識別情報を、文書サーバ２０に対して送信する(ステップ３１４)。
【００１５】
これにより、文書サーバ２０は、識別情報を受信する(ステップ２１３)。そして、識別情報と位置情報とを表す符号画像を生成する(ステップ２１４)。この符号画像の生成は、具体的には、次のような処理により行われる。
即ち、まず、ステップ２１３で取得した識別情報を符号化することで識別符号を生成する。尚、識別情報の符号化の詳細については後述する。また、印刷設定を受け取り、印刷設定に応じた範囲の位置情報を符号化することで位置符号を生成する。尚、位置情報の符号化の詳細についても後述する。その後、識別符号と位置符号とを所定のレイアウトに従って配置し、これをパターン画像を用いて画像化することで符号画像を生成する。
【００１６】
また、文書サーバ２０は、電子文書の文書画像を生成する(ステップ２１５)。その際、ステップ２１１で取得した文書ＩＤに基づいて対象となる電子文書を図示しない記憶手段から読み出す。また、ステップ２１１で取得した印刷設定に基づいて文書画像を生成する。
そして、ステップ２１４で生成された符号画像と、ステップ２１５で生成された文書画像とを合成し、合成画像を生成する(ステップ２１６)。
その後、合成画像の印刷命令を画像形成装置４０に送信する(ステップ２１７)。ここで、合成画像の印刷命令は、例えば、文書画像の印刷命令の列からなるＰＤＬ(Page Description Language)ファイルに対し、符号画像として印刷する内容をＰＤＬコマンドとして設定したＰＤＬの形式で送信される。
【００１７】
これにより、画像形成装置４０は、文書画像を例えばＣ(シアン)、Ｍ(マゼンタ)、Ｙ(イエロー)のトナーを用いて媒体に印刷する。また、符号画像を例えばＫ(カーボンを含む黒)のトナー又は特殊トナーを用いて媒体に印刷する。
ここで、特殊トナーとしては、可視光領域(４００ｎｍ〜７００ｎｍ)における最大吸収率が７％以下であり、近赤外領域(８００ｎｍ〜１０００ｎｍ)における吸収率が３０％以上の不可視トナーが例示される。ここで、「可視」及び「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００１８】
尚、ここでは、電子文書の画像に符号画像を合成して印刷することとしたが、白紙(ノートや付箋等)に符号画像を印刷する構成としてもよい。その場合は、ステップ２１１で受信する印刷要求に文書ＩＤを含めないようにし、ステップ３１３で識別情報と文書ＩＤ及び印刷設定との関連付けを行わないようにし、ステップ２１５における文書画像の生成は実行しないようにすればよい。
【００１９】
次に、本実施の形態で生成される符号画像について説明する。
図３は、符号画像を構成する画像等の一例を示した図である。
まず、符号画像を構成する単位パターンについて説明する。
図３(ａ)は、単位パターンの一例を示したものである。
単位パターンとは、情報埋め込みの最小単位である。図では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。即ち、図は、ドットを配置可能な９箇所の中から選択した２箇所にドットを配置することで単位パターンを構成した例を示したものである。ここで、９箇所の中から２箇所を選択する組み合わせは３６(＝９Ｃ２)通りなので、単位パターンは、３６種類存在する。このうち、４種類の単位パターンは、同期パターンとして使用される。同期パターンとは、画像の回転を検出したり、識別符号及び位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号及び位置符号を表現する情報パターンとして使用され、５ビットの情報が表現される。
【００２０】
ところで、図３(ａ)に示したドットは、あくまで情報表現のためのドットであり、画像を構成する最小の点を意味するドットとは必ずしも一致しない。本実施の形態において、情報表現のためのドット(図３(ａ)の最小の四角)は、６００ｄｐｉにおける２ドット×２ドットの大きさを有している。６００ｄｐｉにおける１ドットの大きさは０．０４２３ｍｍなので、情報表現のためのドット(図３(ａ)の最小の四角)の一辺は、８４．６μｍ(＝０．０４２３ｍｍ×２)である。情報表現のためのドットは、大きくなればなるほど目に付きやすくなるため、できるだけ小さいほうが好ましい。ところが、あまり小さくすると、プリンタで印刷できなくなってしまう。そこで、情報表現のためのドットの大きさとして、５０μｍより大きく１００μｍより小さい上記の値を採用している。但し、上記の値８４．６μｍは、あくまで計算上の数値であり、実際に印刷されたトナー像では１００μｍ程度になる。尚、本明細書で「ドット」というときは、特に明示しない限り、画像を構成する最小の点を意味するドットではなく、情報表現のためのドットを指すものとする。
【００２１】
次に、このような単位パターンから構成される符号ブロックについて説明する。
図３(ｂ)に、符号ブロックのレイアウトの一例を示す。尚、ここでは、画像ではなく、パターン画像によって置き換えられる直前の符号配列で示している。即ち、図３(ｂ)の最小の四角(以下、「単位ブロック」という)に、図３(ａ)のような単位パターン(３６通りの単位パターンのいずれか)が配置され、その画像が媒体に形成されることになる。
図３(ｂ)のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。更に、これらの位置符号が配置された単位ブロックに囲まれた１６(＝４×４)個の単位ブロックに識別符号が配置されている。
【００２２】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図３(ｂ)の符号ブロックにおける識別符号が配置される単位ブロックに収まることになる。尚、符号化方式はＲＳ符号に限定するものでなく、その他の符号化方式、例えば、ＢＣＨ符号等を使用してもよい。
【００２３】
次に、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列のうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。即ち、固定のＭ系列を予め生成しておき、それをメモリ等に格納しておけばよい。
例えば、系列長８１９１のＭ系列(Ｋ＝１３)を使用したとする。この場合、位置符号も５ビット単位で埋め込むため、系列長８１９１のＭ系列から５ビットずつ取り出してブロック化する。
【００２４】
尚、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００２５】
ところで、このような符号画像が印刷された媒体にデジタルペン６０を用いて筆記を行い、筆跡情報を得る場合、同じ媒体に対する筆跡情報は、たとえ時間的に離れた筆記に基づくものであっても同列に扱われるのが一般的である。しかしながら、筆跡情報を用いたその後の処理を考えると、筆跡情報を幾つかのまとまりに分割しておいたほうが都合がよい場合がある。そのような筆跡情報の分割は、例えば、ＰＣの画面上で行うことも考えられるが、その場合、ユーザが画面上で筆跡情報の一部を選択して分割する単位（分割単位）を定義する等の追加操作が必要となる。
そこで、本実施の形態では、デジタルペン６０での筆記時に、デジタルペン６０を使って、筆跡情報の分割単位の開始点及び終了点の少なくとも何れか一方を定義する。これにより、デジタルペン６０を持ったまま、ＰＣ等の他の機器を操作することなく、自然に筆跡情報を分割できるようにする。
【００２６】
図４に、このようなデジタルペン６０を用いた筆跡情報の分割の概略動作について示す。
図では、まず、（ａ）において、筆記を開始している。即ち、媒体４０１上の符号画像４０２が印刷された領域に例えば文字を記述する。そして、（ｂ）において、ひとまとまりにしたい一連の筆記を終了すると、筆跡情報を区切る操作を行う。ここで、筆跡情報を区切る操作の詳細は後述するが、例えば、デジタルペン６０で媒体の外をポイントする操作等がある。これにより、（ｂ）で筆記された内容が、（ｃ）に示すように、ひとまとまりの分割単位６０１として管理される。
また、（ｄ）において、筆記を追加したとする。即ち、媒体４０１上の符号画像４０２が印刷された領域に、（ｂ）で筆記していた文字に加え、例えば新たな文字を記述したとする。そして、（ｅ）において、追加した筆記についても、筆跡情報を区切る操作を行ったとする。ここでも、筆跡情報を区切る操作としては、例えば、デジタルペン６０で媒体の外をポイントする操作等がある。これにより、（ｅ）で新たに筆記された内容が、（ｆ）に示すように、２つ目のひとまとまりの分割単位６０２として管理される。
【００２７】
このように、筆跡情報の分割は、デジタルペン６０によって実現される。
そこで、まず、デジタルペン６０の機構について説明する。
図５は、デジタルペン６０の構成例を示した図である。
図示するように、デジタルペン６０は、ペン全体の動作を制御する制御回路６１を備える。また、制御回路６１は、読み取った符号画像を処理する画像処理部６１ａと、そこでの処理結果から識別情報及び位置情報を抽出するデータ処理部６１ｂとを含む。
また、制御回路６１には、デジタルペン６０による筆記動作をペンチップ６９に加わる圧力によって検出する圧力センサ６２が接続されている。更に、媒体上に赤外光を照射する赤外ＬＥＤ６３と、反射光を検知することによって符号画像を読み取る赤外ＣＭＯＳ６４も接続されている。更にまた、識別情報及び位置情報を記憶するための情報メモリ６５と、外部装置と通信するための通信回路６６と、ペンを駆動するためのバッテリ６７と、ペンの識別情報(ペンＩＤ)を記憶するペンＩＤメモリ６８も接続されている。
【００２８】
次に、このうち制御回路６１において実現される機能構成について更に詳細に説明する。
図６は、制御回路６１の機能構成例を示したブロック図である。尚、図では、制御回路６１内の画像処理部６１ａとデータ処理部６１ｂとに分けて、機能構成例を示している。
図示するように、画像処理部６１ａは、画像取得部６１１と、ドット配列生成部６１２とを備える。また、データ処理部６１ｂは、符号配列生成部６１３と、識別情報取得部６１４と、位置情報取得部６１５と、筆跡情報生成部６１６とを備える。そして、更に、位置情報記憶部６１７と、操作判別部６１８と、属性付加部６１９と、出力部６２０とを備える。
【００２９】
画像取得部６１１は、赤外ＣＭＯＳ６４が印刷文書から読み取った符号画像を取得する。また、必要に応じて、符号画像に含まれるノイズを除去する。
ドット配列生成部６１２は、符号画像におけるドットの位置を参照して、ドット配列を生成する。即ち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００３０】
符号配列生成部６１３は、ドット配列上で、符号ブロック内の単位パターンに対応するブロックを検出する。具体的には、単位パターンが配置されるブロックと同じ形状及び大きさの枠をドット配列上で動かし、枠内のドット数が均等になる位置で枠を固定する。例えば、図３(ａ)の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００３１】
識別情報取得部６１４は、符号配列から同期符号の位置を基準にして識別符号を検出する。そして、画像生成時にＲＳ符号化処理で用いたパラメータを用いて識別符号を復号し、識別情報を取得する。
位置情報取得部６１５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。尚、オフセットで補正するのは、位置符号の間に同期符号が配置されているためである。本実施の形態では、位置情報を取得する取得手段の一例として、位置情報取得部６１５を設けている。
【００３２】
筆跡情報生成部６１６は、位置情報取得部６１５が取得した位置情報を連結して筆跡情報を生成する。ここで、筆跡情報とは、デジタルペン６０のペン先の軌跡を電子化したデータであるが、これ以外の情報が付加されていてもよい。ペン先の軌跡以外の情報としては、例えば、筆跡情報の分割単位の識別情報や、分割単位に対する属性情報等がある。本実施の形態では、筆記情報を生成する生成手段の一例として、筆跡情報生成部６１６を設けている。
【００３３】
位置情報記憶部６１７は、位置情報取得部６１５が取得した位置情報を筆跡情報生成部６１６が連結して筆跡情報を生成する際に、位置情報を一時的に記憶する。
操作判別部６１８は、筆跡情報を区切る指示としてのデジタルペン６０に対するユーザ操作を判別する。本実施の形態では、電子筆記具に対するユーザ操作を検出する検出手段の一例として、操作判別部６１８を設けている。
属性付加部６１９は、筆跡情報生成部６１６が分割した筆跡情報の各分割単位に対して、操作判別部６１８が判別したユーザ操作に応じた属性情報を付加する。本実施の形態では、筆記情報に属性を付加する付加手段の一例として、属性付加部６１９を設けている。
【００３４】
出力部６２０は、識別情報取得部６１４が取得した識別情報と、筆跡情報生成部６１６が生成した筆跡情報等の情報とを外部に出力する。その際、通信回路６６が通信装置７０と通信可能な状態にあれば、通信回路６６に情報を出力し、通信回路６６が通信装置７０を介して端末装置５０に情報を送信する。また、通信回路６６が通信装置７０と通信可能な状態になければ、情報メモリ６５に情報を出力し、情報メモリ６５が情報を記憶する。そして、通信回路６６が、通信装置７０と通信可能な状態になった時点で、情報メモリ６５から情報を取り出し、通信装置７０を介して端末装置５０に情報を送信する。
【００３５】
次に、デジタルペン６０が筆跡情報を生成する際の動作について説明する。
デジタルペン６０では、まず、赤外ＬＥＤ６３が媒体に対して赤外光を照射し、赤外ＣＭＯＳ６４がその反射光を受光することにより、符号画像を読み取る。そして、画像取得部６１１がこの読み取った符号画像を取得する。そして、符号画像にノイズが含まれていれば、これを除去する。次に、ドット配列生成部６１２が、符号画像に含まれるドット位置をデジタルデータ化し、ドット配列を生成する。そして、符号配列生成部６１３が、ドット配列からブロックを検出し、ブロックごとの符号値を格納した符号配列を生成する。そして、符号配列において、同期符号の位置を特定する。その後、識別情報取得部６１４が、同期符号の位置に基づいて識別符号を検出し、これを復号して識別情報を取得する。また、位置情報取得部６１５が、同期符号の位置に基づいて位置符号を検出し、これを復号して位置情報を取得する。そして、筆跡情報生成部６１６が、位置情報を連結して筆跡情報を生成する。本実施の形態では、このとき、筆跡情報生成部６１６が、デジタルペン６０に対するユーザ操作に応じて、筆跡情報を幾つかのまとまりに分割する処理を行う。
【００３６】
以下、このときの筆跡情報生成部６１６の動作について具体的に説明する。
尚、本実施の形態において、デジタルペン６０に対するユーザ操作としては、種々のものが考えられるが、ここでは、次の３つを中心に説明する。
第一に、媒体上の特別な位置をポイントするユーザ操作である。例えば、媒体上に「手書き分割」と記された領域を設けておき、その領域内の任意の点がポイントされたときに、特別な位置がポイントされたものと判断する。
第二に、最新の筆記が終了してから予め設定された時間が経過した後に媒体に再び筆記を行うユーザ操作である。
第三に、最新の筆記が終了した位置から予め設定された距離以上離れた媒体上の位置に再び筆記を行うユーザ操作である。
そこで、以降の説明においては、これらをそれぞれ、第１の動作例、第２の動作例、第３の動作例とする。
【００３７】
［第１の動作例］
デジタルペン６０の筆記動作が開始すると、筆記がなされていることを圧力センサ６２が検知し、ストローク開始信号を筆跡情報生成部６１６に送出する。そして、筆跡情報生成部６１６は、このストローク開始信号を受信することにより、動作を開始する。
【００３８】
図７は、筆跡情報生成部６１６の動作例を示したフローチャートである。尚、この動作例の開始時に、前回のストローク信号の受信により取得しまだ筆跡情報の生成に用いていない位置情報が位置情報記憶部６１７に記憶されているものとする。
筆跡情報生成部６１６は、まず、位置情報取得部６１５から出力される位置情報を受け付ける（ステップ６２１）。そして、操作判別部６１８に対して、受け付けた位置情報が特別な位置情報かどうかを判定するよう指示する。すると、操作判別部６１８は、受け付けた位置情報が特別な位置情報かどうかを判定する（ステップ６２２）。ここで、特別な位置情報とは、上述したように、筆跡情報を区切ることを指示するために媒体上に設けられた特別な領域内の位置を表す位置情報である。尚、媒体上の如何なる位置を表す位置情報がこの特別な位置情報に該当するかは、デジタルペン６０内の図示しないメモリに記憶しておくとよい。操作判別部６１８は、受け付けた位置情報が特別な位置情報かどうかを判定すると、その判定結果を筆跡情報生成部６１６に伝える。
【００３９】
ここで、受け付けた位置情報が特別な位置情報でないと判定された場合、受け付けた位置情報は筆跡情報の生成のために用いる位置情報であるので、筆跡情報生成部６１６は、この位置情報を位置情報記憶部６１７に記憶する（ステップ６２３）。そして、ストローク信号を引き続き受信しているかどうかを判定し（ステップ６２４）、受信していれば、ステップ６２１に戻って処理を継続し、受信していなければ、処理を終了する。
【００４０】
一方、受け付けた位置情報が特別な位置情報であると判定された場合、その時点で位置情報記憶部６１７に記憶されている位置情報のグループを連結してひとまとまりの筆跡情報を生成することが指示されたことになる。この場合、本実施の形態では、位置情報のグループに対する属性情報の付加も行うので、筆跡情報生成部６１６は、属性付加部６１９に対して、属性情報の付加を指示する。すると、属性付加部６１９は、デジタルペン６０に対するユーザ操作に応じた属性情報を生成し、これを筆跡情報に付加する（ステップ６２５）。ここで、属性情報には、例えば、位置情報のグループ（筆跡情報の分割単位）をＰＣの画面上にどのレイヤで表示するか、を設定する情報等がある。この場合、どのレイヤで表示するかは、デジタルペン６０でポイントした位置の違いによって区別すればよい。つまり、左上点が（Ｘ１，Ｙ１）で右下点が（Ｘ２，Ｙ２）の矩形領域内の点がポイントされれば、上位レイヤとし、左上点が（Ｘ３，Ｙ３）で右下点が（Ｘ４，Ｙ４）の矩形領域内の点がポイントされれば、下位レイヤとする、といった設定をすればよい。これにより、筆跡情報をＰＣ等の画面上に表示した際に、筆跡情報の分割単位ごとに表示／非表示等の指定が可能となる。
【００４１】
次に、筆跡情報生成部６１６は、位置情報のグループを一意に識別するグループＩＤを生成する（ステップ６２６）。この場合、グループＩＤは、例えば、デジタルペン６０を一意に識別するペンＩＤと、日付と、連番とを連結することで生成するとよい。
また、筆跡情報生成部６１６は、この時点で位置情報記憶部６１７に記憶されていた位置情報のグループを連結して筆跡情報を生成する（ステップ６２７）。
その後、筆跡情報生成部６１６は、グループＩＤと属性情報と筆跡情報とを関連付けて出力部６２０に出力する（ステップ６２８）。これにより、出力部６２０は、これらの情報を情報メモリ６５又は通信回路６６に出力する。また、位置情報記憶部６１７に記憶された位置情報を削除する（ステップ６２９）。そして、ストローク信号を引き続き受信しているかどうかを判定し（ステップ６２４）、受信していれば、ステップ６２１に戻って処理を継続し、受信していなければ、処理を終了する。
【００４２】
ところで、この第１の動作例では、媒体上の特別の位置がポイントされたことを、媒体に印刷された符号画像から取得された位置情報によって判断した。しかしながら、図３（ｂ）のレイアウトに、媒体上の領域を特定するための領域情報を埋め込む部分を設け、符号画像から取得された領域情報が予め設定された領域情報と一致するかどうかで判断するようにしてもよい。
【００４３】
また、デジタルペン６０に対するユーザ操作としては、媒体上の特別な位置をポイントするユーザ操作以外に、次のようなものも考えられる。
例えば、デジタルペン６０に設けられた操作部（「手書き分割」ボタン等）を操作すると信号が出力され、この信号を受信することにより、操作判別部６１８が筆跡情報の区切りを判別するようにしてもよい。
また、特別な位置ではなく、最新の筆記が終了した位置から予め設定された距離以上離れた位置をポイントする操作により、操作判別部６１８が筆跡情報の区切りを判別するようにしてもよい。この場合、最新の筆記が終了した位置も筆跡情報を区切るためにポイントした位置も位置情報によって特定されるので、その間の距離が予め設定された距離以上あれば、筆跡情報を区切る操作と判断する。尚、この変形例でポイントされる離れた位置は、あくまで筆跡情報を区切るためだけにポイントされる位置であり、この点で、後述する第３の動作例とは異なる。
更に、媒体上の特別な位置ではなく、デジタルペン６０で記述中の媒体以外の位置（媒体が置かれた机の上等）をポイントする操作により、操作判別部６１８が筆跡情報の区切りを判別するようにしてもよい。この場合、筆記位置から読み取った画像から識別情報や位置情報が復号できないので、このことにより筆跡情報を区切る操作と判断する。
更にまた、一度デジタルペン６０の電源を切って再び入れることにより、操作判別部６１８が筆跡情報の区切りを判別するようにしてもよい。
【００４４】
また、この第１の動作例では、属性情報として、筆跡情報をＰＣ等に表示する際のレイヤを例示したが、これには限らない。例えば、位置情報のグループごとに、位置情報を連結した筆跡情報をデジタル記録するか（電子データとしての筆跡情報として出力し管理するか）を属性情報として付加するようにしてもよい。これをデジタルペン６０に設けられたボタンで実現するとすれば、「非記録」ボタンを押下する操作により開始点が定義され、「非記録」ボタンから手を離す操作により終了点が定義され、開始点から終了点までの筆記についてはデジタル記録されない、という構成になる。具体的には、図７のフローチャートに対し、ステップ６２５でデジタル記録しない旨の属性情報が付加されればステップ６２８の処理をスキップする、といった変更を加えればよい。
【００４５】
［第２の動作例］
デジタルペン６０の筆記動作が開始すると、筆記がなされていることを圧力センサ６２が検知し、ストローク開始信号を筆跡情報生成部６１６に送出する。そして、筆跡情報生成部６１６は、このストローク開始信号を受信することにより、動作を開始する。
【００４６】
図８は、筆跡情報生成部６１６の動作例を示したフローチャートである。尚、この動作例の開始時に、前回のストローク信号の受信により取得しまだ筆跡情報の生成に用いていない位置情報が日時情報と共に位置情報記憶部６１７に記憶されているものとする。また、この動作例では、図６の属性付加部６１９は機能しない。
筆跡情報生成部６１６は、まず、位置情報取得部６１５から出力される位置情報を受け付け（ステップ６４１）、図示しないタイマからそのときの日時情報を受け付ける（ステップ６４２）。そして、操作判別部６１８に対して、位置情報記憶部６１７に最後に記憶された位置情報と共に記憶されたに日時情報と、受け付けた日時情報とを比較し、予め設定された時間が経過したかどうかを判定するよう指示する。すると、操作判別部６１８は、予め設定された時間が経過したかどうかを判定し（ステップ６４３）、その判定結果を筆跡情報生成部６１６に伝える。
【００４７】
ここで、予め設定された時間が経過していないと判定された場合、受け付けた位置情報はこれまでの位置情報と連結して筆跡情報の生成のために用いる位置情報であるので、筆跡情報生成部６１６は、この位置情報を日時情報と共に位置情報記憶部６１７に記憶する（ステップ６４４）。そして、ストローク信号を引き続き受信しているかどうかを判定し（ステップ６４５）、受信していれば、ステップ６４１に戻って処理を継続し、受信していなければ、処理を終了する。
【００４８】
一方、予め設定された時間が経過したと判定された場合、その時点で位置情報記憶部６１７に記憶されている位置情報のグループを連結してひとまとまりの筆跡情報を生成し、今回の位置情報は次の位置情報のグループと連結して筆跡情報を生成することが指示されたことになる。
【００４９】
従って、筆跡情報生成部６１６は、位置情報のグループを一意に識別するグループＩＤを生成する（ステップ６４６）。この場合、グループＩＤは、例えば、デジタルペン６０を一意に識別するペンＩＤと、日付と、連番とを連結することで生成するとよい。
また、筆跡情報生成部６１６は、この時点で位置情報記憶部６１７に記憶されていた位置情報のグループを連結して筆跡情報を生成する（ステップ６４７）。
その後、筆跡情報生成部６１６は、グループＩＤと筆跡情報とを関連付けて出力部６２０に出力する（ステップ６４８）。これにより、出力部６２０は、これらの情報を情報メモリ６５又は通信回路６６に出力する。また、位置情報記憶部６１７に記憶された位置情報及び日時情報を削除し（ステップ６４９）、今回の位置情報を次の位置情報と連結して筆跡情報を生成できるよう、日時情報と共に位置情報記憶部６１７に記憶する（ステップ６４４）。そして、ストローク信号を引き続き受信しているかどうかを判定し（ステップ６４５）、受信していれば、ステップ６４１に戻って処理を継続し、受信していなければ、処理を終了する。
【００５０】
［第３の動作例］
デジタルペン６０の筆記動作が開始すると、筆記がなされていることを圧力センサ６２が検知し、ストローク開始信号を筆跡情報生成部６１６に送出する。そして、筆跡情報生成部６１６は、このストローク開始信号を受信することにより、動作を開始する。
【００５１】
図９は、筆跡情報生成部６１６の動作例を示したフローチャートである。尚、この動作例の開始時に、前回のストローク信号の受信により取得しまだ筆跡情報の生成に用いていない位置情報が位置情報記憶部６１７に記憶されているものとする。また、この動作例では、図６の属性付加部６１９は機能しない。
筆跡情報生成部６１６は、まず、位置情報取得部６１５から出力される位置情報を受け付ける（ステップ６６１）。そして、操作判別部６１８に対して、位置情報記憶部６１７に最後に記憶された位置情報と、受け付けた位置情報とを比較し、これらの位置情報が示す位置の間の距離が予め設定された距離以上かどうかを判定するよう指示する。すると、操作判別部６１８は、これらの位置の間の距離が予め設定された距離以上かどうかを判定し（ステップ６６２）、その判定結果を筆跡情報生成部６１６に伝える。
【００５２】
ここで、これらの位置の間の距離が予め設定された距離以上でないと判定された場合、受け付けた位置情報はこれまでの位置情報と連結して筆跡情報の生成のために用いる位置情報であるので、筆跡情報生成部６１６は、この位置情報を位置情報記憶部６１７に記憶する（ステップ６６３）。そして、ストローク信号を引き続き受信しているかどうかを判定し（ステップ６６４）、受信していれば、ステップ６６１に戻って処理を継続し、受信していなければ、処理を終了する。
【００５３】
一方、これらの位置の間の距離が予め設定された距離以上であると判定された場合、その時点で位置情報記憶部６１７に記憶されている位置情報のグループを連結してひとまとまりの筆跡情報を生成し、今回の位置情報は次の位置情報のグループと連結して筆跡情報を生成することが指示されたことになる。
【００５４】
従って、筆跡情報生成部６１６は、位置情報のグループを一意に識別するグループＩＤを生成する（ステップ６６５）。この場合、グループＩＤは、例えば、デジタルペン６０を一意に識別するペンＩＤと、日付と、連番とを連結することで生成するとよい。
また、筆跡情報生成部６１６は、この時点で位置情報記憶部６１７に記憶されていた位置情報のグループを連結して筆跡情報を生成する（ステップ６６６）。
その後、筆跡情報生成部６１６は、グループＩＤと筆跡情報とを関連付けて出力部６２０に出力する（ステップ６６７）。これにより、出力部６２０は、これらの情報を情報メモリ６５又は通信回路６６に出力する。また、位置情報記憶部６１７に記憶された位置情報を削除し（ステップ６６８）、今回の位置情報を次の位置情報と連結して筆跡情報を生成できるよう、位置情報記憶部６１７に記憶する（ステップ６６３）。そして、ストローク信号を引き続き受信しているかどうかを判定し（ステップ６６４）、受信していれば、ステップ６６１に戻って処理を継続し、受信していなければ、処理を終了する。
【００５５】
尚、本実施の形態では、デジタルペン６０に対するユーザ操作の前後で筆跡情報を分割するようにした。即ち、そのユーザ操作が、筆跡情報の分割単位の終了点を定義し、かつ、筆跡情報の分割単位の開始点も定義するものとした。しかしながら、筆跡情報の分割単位の終了点と開始点をそれぞれデジタルペン６０に対する異なるユーザ操作によって定義してもよい。例えば、筆跡情報の分割単位の開始点が、デジタルペン６０の操作部を操作し始める（例えば「手書き分割」ボタンを押下する）際に定義され、その操作を終了する（例えば「手書き分割」ボタンから手を離す）際に、終了点が定義されるようにしてもよい。
【００５６】
ところで、本実施の形態では、デジタルペン６０が筆跡情報の分割を行うようにした。しかしながら、デジタルペン６０での操作が伝わってさえいれば、必ずしもデジタルペン６０でこの処理を行わなくてよい。例えば、デジタルペン６０に対するユーザ操作の情報を端末装置５０に伝えておき、端末装置５０で同様の処理を行うようにしてもよい。
そこで、これらの処理をコンピュータ９０で行うものとして、コンピュータ９０のハードウェア構成について説明する。
【００５７】
図１０は、コンピュータ９０のハードウェア構成を示した図である。
図示するように、コンピュータ９０は、演算手段であるＣＰＵ(Central Processing Unit)９１と、記憶手段であるメインメモリ９２及び磁気ディスク装置(ＨＤＤ：Hard Disk Drive)９３とを備える。ここで、ＣＰＵ９１は、ＯＳ(Operating System)やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信Ｉ/Ｆ９４と、ビデオメモリやディスプレイ等からなる表示機構９５と、キーボードやマウス等の入力デバイス９６とを備える。
【００５８】
尚、本実施の形態を実現するプログラムは、通信手段により提供することはもちろん、ＣＤ−ＲＯＭ等の記録媒体に格納して提供することも可能である。
【図面の簡単な説明】
【００５９】
【図１】本発明の実施の形態が適用されるシステム構成を示した図である。
【図２】本発明の実施の形態における印刷文書出力時の動作を示したシーケンス図である。
【図３】本発明の実施の形態で生成される符号画像の例を示した図である。
【図４】本発明の実施の形態における動作の概要を示した図である。
【図５】本発明の実施の形態におけるデジタルペンの機構を示した図である。
【図６】本発明の実施の形態におけるデジタルペンの制御回路の機能機構を示したブロック図である。
【図７】本発明の実施の形態における筆跡情報生成部の第１の動作例を示したフローチャートである。
【図８】本発明の実施の形態における筆跡情報生成部の第２の動作例を示したフローチャートである。
【図９】本発明の実施の形態における筆跡情報生成部の第３の動作例を示したフローチャートである。
【図１０】本発明の実施の形態を実現可能なコンピュータのハードウェア構成図である。
【符号の説明】
【００６０】
１０，５０…端末装置、２０…文書サーバ、３０…識別情報サーバ、４０…画像形成装置、６０…デジタルペン、８０…ネットワーク
【図１】
2009252063.tif 000003
【図２】
2009252063.tif 000004
【図３】
2009252063.tif 000005
【図４】
2009252063.tif 000006
【図５】
2009252063.tif 000007
【図６】
2009252063.tif 000008
【図７】
2009252063.tif 000009
【図８】
2009252063.tif 000010
【図９】
2009252063.tif 000011
【図１０】
2009252063.tif 000012